(57)【要約】【課題】モータのインバータ駆動に代表される連続パルスにより電力を制御するシステムに使用する動力用ケーブルおいて，連続パルスのスイッチングにあわせた動力用ケーブルの充放電に伴い発生する充放電電流を抑制する動力用ケーブルを提供する。【解決手段】導体1aの外周に絶縁被覆を施した絶縁心線1を複数本と中空構造などの絶縁体5を撚り合わせ，その上に低実効誘電率のシース９を施した動力用ケーブル。各心線間に低実効誘電率の絶縁体を施し，更に中空絶縁体により導体間の離隔距離を確保する。【選択図】図８
2014212127.tif 000002
【特許請求の範囲】
【請求項１】
連続パルスに伴い発生する充放電電流を抑制する動力用ケーブルであって，充電電流値と充電時間の積としての充電量を低減するように，相間および対地間の特性インピーダンスを大きくするように，各導体間の絶縁体の実効誘電率を２以下の低実効誘電率となるように構成したことを特徴とする動力用ケーブル。
【請求項２】
前記２以下の低実効誘電率となるような構成として、各絶縁心線の絶縁被覆又はシースに２以下の低実効誘電率の絶縁体を用いることを特徴とする請求項１に記載した動力用ケーブル。
【請求項３】
連続パルスに伴い発生する充放電電流を抑制する動力用ケーブルであって，各絶縁心線の絶縁被覆およびシースに発泡ポリエチレンを用いた請求項２に記載した動力用ケーブル。
【請求項４】
連続パルスに伴い発生する充放電電流を抑制する動力用ケーブルであって，充電電流値と充電時間の積としての充電量を低減するように，相間および対地間の特性インピーダンスを大きくするように，各絶縁心線間および各絶縁心線とアース間に空隙を設けたことを特徴とする動力用ケーブル。
【請求項５】
連続パルスに伴い発生する充放電電流を抑制する動力用ケーブルであって，充電電流値を低減するように，相間および対地間の特性インピーダンスを大きくするように各絶縁心線の絶縁被覆またはシースに磁性材を使用することを特徴とする動力用ケーブル。
【請求項６】
連続パルスに伴い発生する充放電電流を抑制する動力用ケーブルであって，充電電流値を低減するように，相間および対地間の特性インピーダンスを大きくするように各絶縁心線の絶縁被覆の外周または絶縁心線を一括する磁性材を配置することを特徴とする動力用ケーブル。
【請求項７】
連続パルスに伴い発生する充放電電流を抑制する動力用ケーブルであって，充電電流による放射ノイズまたは伝導ノイズを低減するように，リターン線が低インダクタンスとなるように対称形構造としたことを特徴とする請求項１乃至請求項４の内の一つの請求項に記載した動力用ケーブル。
【発明の詳細な説明】
【技術分野】
【０００１】
本発明は，インバータに代表される連続パルスによる電力制御装置および駆動装置のスイッチング動作に伴い発生する充電電流を低減する動力用ケーブルに関するものである。
【背景技術】
【０００２】
省エネ対策として，例えばモータや蛍光灯，高圧ランプなどの照明器具の駆動，制御にインバータに代表される連続パルスによる駆動，電力制御装置の利用が増えてきている。連続パルスのスイッチングにあわせて動力用ケーブルは充放電され，特に高い繰返し周波数でスイッチング動作するインバータなどでは，充放電が頻繁に行なわれ，充電電流が増加し消費電力の増加になるため，この充放電に伴う充電電流が課題となっている。従来の動力用ケーブルでは，負荷で必要とする低周波数帯の電流を通電する際に導体で発生する消費電力を低減するために，導体サイズを太くし電気抵抗を小さくする方法が一般的に知られている。しかしながら，動力用ケーブルの充放電に伴う高周波数帯の充電電流により発生する消費電力を低減することは考慮されていない。
【先行技術文献】
【特許文献】
【０００３】
【特許文献１】国際公開２００８−０４１７０８号
【発明の概要】
【発明が解決しようとする課題】
【０００４】
図1のインバータによるモータ駆動のように連続パルスにより電力を制御するシステムにおいて使用される動力用ケーブルは，図２に示すようにパルスのスイッチングにあわせて充放電が繰返される。パルスがオフからオンへスイッチングする際に充電され，オンからオフへスイッチングする際に放電が行なわれる。この充電時に，動力用ケーブルの種類や長さに応じた充電電流が動力用ケーブルに流れ込む。例えば，従来の動力用ケーブルであるキャブタイヤケーブルでは本来の負荷で必要とする低周波数帯の電流に係わらず表３の消費電力が発生する。さらには，この充電電流は相間および対地間に漏れ電流として流れ，伝導ノイズおよび放射ノイズの一因となる。ここで，動力用ケーブルの充放電に伴う消費電力は，図３に示すように電力計をインバータ入力側に設置し，インバータへ動力用ケーブルを接続したときと未接続としたときの各電力を測定しその差分とする。なお，動力用ケーブルの非インバータ接続端は開放とする。
【０００５】
【表１】
2014212127.tif 000003
【０００６】
【表２】
2014212127.tif 000004
【０００７】
【表３】
2014212127.tif 000005
【０００８】
例えば，インバータによるモータ駆動システムにおいては，インバータにより動力用ケーブルに入力されたパルスが動力用ケーブルの相間および対地間を充電しながらモータ端へ伝搬しモータ端で反射する。このモータ端で反射したパルスがインバータ端に達するまでの間，充電電流が動力用ケーブルに流れ込む。この充電電流により発生する消費電力Pは，パルス電圧Ecと動力用ケーブルに流れ込む充電電流iおよびパルスの繰返し周波数fにより式１で与えられる。
P=∫Ec・i
dt  ×  f  ・・・（式１）
これにより、消費電力Ｐを抑えるためには、充電電流を低減することにより消費電力の低減が可能であることがわかる。動力用ケーブルに流れ込む充電電流の充電量Icは，図４に示すように，充電電流値Imと充電時間tcの積で近似できる。充電電流値は，パルス電圧と動力用ケーブルの相間および対地間の特性インピーダンスにより決まり，充電時間は，充電電流が動力用ケーブルに入力されてから動力用ケーブルを伝搬してモータ端で反射し，その反射した充電電流がインバータ端に達するまでの時間であり，動力用ケーブル長に比例する。この知見を基にして、本発明は，このような動力用ケーブルの充放電に伴う消費電力の低減およびノイズ対策として，従来の動力用ケーブルよりも充電電流の充電量を低減した動力用ケーブルを提供することを目的とする。
【課題を解決するための手段】
【０００９】
上記課題を解決するために，本発明の動力用ケーブルは，従来の動力用ケーブルより充電電流値と充電時間の積としての充電量を低減し，さらには漏れ電流を低減するものであって，従来の動力用ケーブルに比べ１０Ω以上高い特性インピーダンスとなるように，さらには，単位長当たりの充電時間が１０ｎｓ以下となるように，低実効誘電率の絶縁構造を相間および対地間に備えることを特徴とする。ここで，本発明においては，低実効誘電率とは２以下の実効誘電率を言う。なお，従来の動力用ケーブルであるキャブタイヤケーブルの絶縁心線やシースは，測定をすると実効誘電率がおおよそ２．３から３．４の範囲にある。
【００１０】
また，本発明の動力用ケーブルは，従来の動力用ケーブルより充電電流値を低減し，さらには漏れ電流を低減するものであって，従来の動力用ケーブルに比べ１０Ω以上高い特性インピーダンスとなるように，磁性材を各絶縁心線の絶縁被覆またはシースに，又は各絶縁心線の絶縁被覆の外周または絶縁心線を一括するように配置することを特徴とする。なお，代表的な従来の動力用ケーブルの特性インピーダンス例を表４に，その測定方法を図５に示す。
【００１１】
【表４】
2014212127.tif 000006
【００１２】
【表５】
2014212127.tif 000007
【発明の効果】
【００１３】
図７の第１の実施の形態に示す本発明の絶縁被覆に発泡ポリエチレンを使用した導体サイズ2mm2で４心の動力用ケーブル５０ｍと従来の動力用ケーブルVCT4-2mm2  ５０ｍとの充電量および消費電力の比較結果を表６に，充電電流波形を図６に示す。
【００１４】
【表６】
2014212127.tif 000008
本発明により，動力用ケーブルの充電量低減により，本来の負荷で必要とする電力に係わらず使用する動力用ケーブルで発生する消費電力を抑制する効果を得られ，省エネを実現できるものである。また，本発明においては，インバータなどの制御装置を変更することなく，安価に省エネができ，工業的価値の大きい動力用ケーブルを提供することができるものである。
【図面の簡単な説明】
【００１５】
【図１】インバータによるモータ駆動システム例
【図２】パルス電圧と動力用ケーブルに流れ込む電流図
【図３】動力用ケーブル充放電に伴う消費電力の測定
【図４】動力用ケーブル充電時電流波形拡大
【図５】４芯キャブタイヤケーブル特性インピーダンス測定
【図６】充電電流波形
【図７】第１の実施例
【図８】第２の実施例
【図９】第３の実施例  (a)ケーブル構造  (b)コルデル絶縁体構造
【図１０】第４の実施例
【図１１】第５の実施例
【発明を実施するための形態】
【実施例１】
【００１６】
第１の実施の形態例を図７に示す。これは請求項１又は請求項３記載の発明に対応する実施例であり、各絶縁心線の絶縁被覆およびシースに発泡度３０％の発泡ポリエチレンを用いる。
導体1aの外周に高発泡絶縁体による低実効誘電率の絶縁被覆1bを施した絶縁心線1を複数本撚り合わせ、その上に低実効誘電率のシース９を施した動力用ケーブル。導体の外周に高発泡絶縁などの低実効誘電率の絶縁被覆を施すことで導体1a，2a，3aおよび4a間を１．９５の低実効誘電率とし，充電量の低減を実現する。
【実施例２】
【００１７】
第２の実施の形態例を図８に示す。これは請求項４記載の発明に対応する実施例であり、各絶縁心線間および各絶縁心線とアース間に空隙として中空構造を設けたものである。
導体1aの外周に絶縁被覆を施した絶縁心線1を複数本と中空構造などの絶縁体5を撚り合わせ、その上にシース９を施した動力用ケーブル。各心線間に低実効誘電率の絶縁体を施し，更に中空絶縁体により導体間の離隔距離を確保することで導体1a，2a，3aおよび4a間を１．８５の低実効誘電率とし，充電量の低減を実現する。
【実施例３】
【００１８】
第３の実施の形態例を図９に示す。これは請求項２記載の発明に対応する実施例であり
，各絶縁心線に２以下の低実効誘電率となる絶縁体を用いたものである。
導体1aの外周に絶縁被覆1bを施した絶縁心線にコルデル1cを巻きつけた心線1を複数本撚り合わせ、その上に低実効誘電率のシース９を施した動力用ケーブル。コルデル型絶縁体とすることで各心線間を低実効誘電率とし，導体間の離隔距離を確保することで導体1a，2a，3aおよび4a間を１．２４の低実効誘電率とし，充電量の低減を実現する。
【実施例４】
【００１９】
第４の実施の形態例を図１０に示す。これは請求項６又は請求項７記載の発明に対応する実施例であり，絶縁心線を一括する絶縁材を施した，さらにはリターン線を低インダクタンスとするように対称形構造を用いる。
導体1aの外周に絶縁被覆1bを施した絶縁心線1を３本，ケーブル断面方向から見て，それぞれの絶縁心線を，ほぼ正三角形の３つの頂点上に独立させて配置し，さらに，３本のからなるリターン線６をそれぞれ，ほぼ正三角形の３つの頂点に独立させて配置し，かつ，絶縁心線の頂点とリターン線の頂点がほぼ４５度のズレ角度となるように撚り合わせ，その外周にフェライトテープ８を施し、その上にシース９を施した動力用ケーブル。対称形構造とすることで伝導ノイズを低減し，さらに外周のフェライトテープにより放射ノイズを低減する。また，リターン線と絶縁心線を介在７で離隔することで，導体1a，2a，3aとリターン線６間を１．９４の低実効誘電率とし，充電量の低減を実現する。
【実施例５】
【００２０】
第５の実施の形態例を図１１に示す。これは請求項１又は請求項４記載の発明に対応する実施例であり，各絶縁心線間および各絶縁心線とアース間に空隙として中空構造を設けたものである。
導体1a，2a，3aおよび4aに絶縁被覆１０を施し，ケーブル断面方向から見て，それぞれの導体を，ほぼ正方形の４つの頂点上に配置し，その上に低実効誘電率のシース９を施した動力用ケーブル。隣接する導体を同一円周上に，ほぼ９０度回転した位置に配置することで離隔距離を確保し，さらに中空絶縁体５により強度の確保，および導体1a，2a，3aおよび4a間を１．７４の低実効誘電率とし，充電量の低減を実現する。
【符号の説明】
【００２１】
１a  導体
１b  絶縁体
１c  コルデル
２a  導体
３a  導体
４a  導体
１  絶縁芯線
５  絶縁体
６  リターン線
７  介在
８  フェライトテープ
９  シース
１０  絶縁体
【図１】
2014212127.tif 000009
【図２】
2014212127.tif 000010
【図３】
2014212127.tif 000011
【図４】
2014212127.tif 000012
【図５】
2014212127.tif 000013
【図６】
2014212127.tif 000014
【図７】
2014212127.tif 000015
【図８】
2014212127.tif 000016
【図９】
2014212127.tif 000017
【図１０】
2014212127.tif 000018
【図１１】
2014212127.tif 000019
【手続補正書】
【提出日】平成26年8月5日(2014.8.5)
【手続補正１】
【補正対象書類名】明細書
【補正対象項目名】全文
【補正方法】変更
【補正の内容】
【発明の詳細な説明】
【技術分野】
【０００１】
本発明は，インバータに代表される連続パルスによる電力制御装置および駆動装置のスイッチング動作に伴い発生する充電電流を低減する動力用ケーブルに関するものである。
【背景技術】
【０００２】
省エネ対策として，例えばモータや蛍光灯，高圧ランプなどの照明器具の駆動，制御にインバータに代表される連続パルスによる駆動，電力制御装置の利用が増えてきている。連続パルスのスイッチングにあわせて動力用ケーブルは充放電され，特に高い繰返し周波数でスイッチング動作するインバータなどでは，充放電が頻繁に行なわれ，充電電流が増加し消費電力の増加になるため，この充放電に伴う充電電流が課題となっている。従来の動力用ケーブルでは，負荷で必要とする低周波数帯の電流を通電する際に導体で発生する消費電力を低減するために，導体サイズを太くし電気抵抗を小さくする方法が一般的に知られている。しかしながら，動力用ケーブルの充放電に伴う高周波数帯の充電電流により発生する消費電力を低減することは考慮されていない。
【先行技術文献】
【特許文献】
【０００３】
【特許文献１】国際公開２００８−０４１７０８号
【発明の概要】
【発明が解決しようとする課題】
【０００４】
図1のインバータによるモータ駆動のように連続パルスにより電力を制御するシステムにおいて使用される動力用ケーブルは，図２に示すようにパルスのスイッチングにあわせて充放電が繰返される。パルスがオフからオンへスイッチングする際に充電され，オンからオフへスイッチングする際に放電が行なわれる。この充電時に，動力用ケーブルの種類や長さに応じた充電電流が動力用ケーブルに流れ込む。例えば，従来の動力用ケーブルであるキャブタイヤケーブルでは本来の負荷で必要とする低周波数帯の電流に係わらず表３の消費電力が発生する。さらには，この充電電流は相間および対地間に漏れ電流として流れ，伝導ノイズおよび放射ノイズの一因となる。ここで，動力用ケーブルの充放電に伴う消費電力は，図３に示すように電力計をインバータ入力側に設置し，インバータへ動力用ケーブルを接続したときと未接続としたときの各電力を測定しその差分とする。なお，動力用ケーブルの非インバータ接続端は開放とする。
【０００５】
【表１】
2014212127.tif 000020
【０００６】
【表２】
2014212127.tif 000021
【０００７】
【表３】
2014212127.tif 000022
【０００８】
例えば，インバータによるモータ駆動システムにおいては，インバータにより動力用ケーブルに入力されたパルスが動力用ケーブルの相間および対地間を充電しながらモータ端へ伝搬しモータ端で反射する。このモータ端で反射したパルスがインバータ端に達するまでの間，充電電流が動力用ケーブルに流れ込む。この充電電流により発生する消費電力Pは，パルス電圧Ecと動力用ケーブルに流れ込む充電電流iおよびパルスの繰返し周波数fにより式１で与えられる。
P=∫Ec・i
dt  ×  f  ・・・（式１）
これにより、消費電力Ｐを抑えるためには、充電電流を低減することにより消費電力の低減が可能であることがわかる。動力用ケーブルに流れ込む充電電流の充電量Icは，図４に示すように，充電電流値Imと充電時間tcの積で近似できる。充電電流値は，パルス電圧と動力用ケーブルの相間および対地間の特性インピーダンスにより決まり，充電時間は，充電電流が動力用ケーブルに入力されてから動力用ケーブルを伝搬してモータ端で反射し，その反射した充電電流がインバータ端に達するまでの時間であり，動力用ケーブル長に比例する。この知見を基にして、本発明は，このような動力用ケーブルの充放電に伴う消費電力の低減およびノイズ対策として，従来の動力用ケーブルよりも充電電流の充電量を低減した動力用ケーブルを提供することを目的とする。
【課題を解決するための手段】
【０００９】
上記課題を解決するために，本発明の動力用ケーブルは，従来の動力用ケーブルより充電電流値と充電時間の積としての充電量を低減し，さらには漏れ電流を低減するものであって，従来の動力用ケーブルに比べ１０Ω以上高い特性インピーダンスとなるように，さらには，単位長当たりの充電時間が１０ｎｓ以下となるように，低実効誘電率の絶縁構造を相間および対地間に備えることを特徴とする。ここで，本発明においては，低実効誘電率とは２以下の実効誘電率を言う。なお，従来の動力用ケーブルであるキャブタイヤケーブルの絶縁心線やシースは，測定をすると実効誘電率がおおよそ２．３から３．４の範囲にある。
【００１０】
また，本発明の動力用ケーブルは，従来の動力用ケーブルより充電電流値を低減し，さらには漏れ電流を低減するものであって，従来の動力用ケーブルに比べ１０Ω以上高い特性インピーダンスとなるように，磁性材を各絶縁心線の絶縁被覆またはシースに，又は各絶縁心線の絶縁被覆の外周または絶縁心線を一括するように配置することを特徴とする。なお，代表的な従来の動力用ケーブルの特性インピーダンス例を表４に，その測定方法を図５に示す。
【００１１】
【表４】
2014212127.tif 000023
【００１２】
【表５】
2014212127.tif 000024
【発明の効果】
【００１３】
図７の第１の実施の形態に示す本発明の絶縁被覆に発泡ポリエチレンを使用した導体サイズ2mm2で４心の動力用ケーブル５０ｍと従来の動力用ケーブルVCT4-2mm2  ５０ｍとの充電量および消費電力の比較結果を表６に，充電電流波形を図６に示す。
【００１４】
【表６】
2014212127.tif 000025
本発明により，動力用ケーブルの充電量低減により，本来の負荷で必要とする電力に係わらず使用する動力用ケーブルで発生する消費電力を抑制する効果を得られ，省エネを実現できるものである。また，本発明においては，インバータなどの制御装置を変更することなく，安価に省エネができ，工業的価値の大きい動力用ケーブルを提供することができるものである。
【図面の簡単な説明】
【００１５】
【図１】インバータによるモータ駆動システム例
【図２】パルス電圧と動力用ケーブルに流れ込む電流図
【図３】動力用ケーブル充放電に伴う消費電力の測定
【図４】動力用ケーブル充電時電流波形拡大
【図５】４芯キャブタイヤケーブル特性インピーダンス測定
【図６】充電電流波形
【図７】第１の実施例
【図８】第２の実施例
【図９】第３の実施例  (a)ケーブル構造  (b)コルデル絶縁体構造
【図１０】第４の実施例
【図１１】第５の実施例
【発明を実施するための形態】
【実施例１】
【００１６】
第１の実施の形態例を図７に示す。これは請求項１又は請求項３記載の発明に対応する実施例であり、各絶縁心線の絶縁被覆およびシースに発泡度３０％の発泡ポリエチレンを用いる。
導体1aの外周に高発泡絶縁体による低実効誘電率の絶縁被覆1bを施した絶縁心線1を複数本撚り合わせ、その上に低実効誘電率のシース９を施した動力用ケーブル。導体の外周に高発泡絶縁などの低実効誘電率の絶縁被覆を施すことで導体1a，2a，3aおよび4a間を１．９５の低実効誘電率とし，充電量の低減を実現する。
【実施例２】
【００１７】
第２の実施の形態例を図８に示す。これは請求項４記載の発明に対応する実施例であり、各絶縁心線間および各絶縁心線とアース間に空隙として中空構造を設けたものである。
導体1aの外周に絶縁被覆を施した絶縁心線1を複数本と中空構造などの絶縁体5を撚り合わせ、その上にシース９を施した動力用ケーブル。各心線間に低実効誘電率の絶縁体を施し，更に中空絶縁体により導体間の離隔距離を確保することで導体1a，2a，3aおよび4a間を１．８５の低実効誘電率とし，充電量の低減を実現する。
【実施例３】
【００１８】
第３の実施の形態例を図９に示す。これは請求項２記載の発明に対応する実施例であり
，各絶縁心線に２以下の低実効誘電率となる絶縁体を用いたものである。
導体1aの外周に絶縁被覆1bを施した絶縁心線にコルデル1cを巻きつけた心線1を複数本撚り合わせ、その上に低実効誘電率のシース９を施した動力用ケーブル。コルデル型絶縁体とすることで各心線間を低実効誘電率とし，導体間の離隔距離を確保することで導体1a，2a，3aおよび4a間を１．２４の低実効誘電率とし，充電量の低減を実現する。
【実施例４】
【００１９】
第４の実施の形態例を図１０に示す。これは請求項６又は請求項７記載の発明に対応する実施例であり，絶縁心線を一括する絶縁材を施した，さらにはリターン線を低インダクタンスとするように対称形構造を用いる。
導体1aの外周に絶縁被覆1bを施した絶縁心線1を３本，ケーブル断面方向から見て，それぞれの絶縁心線を，ほぼ正三角形の３つの頂点上に独立させて配置し，さらに，３本のからなるリターン線６をそれぞれ，ほぼ正三角形の３つの頂点に独立させて配置し，かつ，絶縁心線の頂点とリターン線の頂点がほぼ４５度のズレ角度となるように撚り合わせ，その外周にフェライトテープ８を施し、その上にシース９を施した動力用ケーブル。対称形構造とすることで伝導ノイズを低減し，さらに外周のフェライトテープにより放射ノイズを低減する。また，リターン線と絶縁心線を介在７で離隔することで，導体1a，2a，3aとリターン線６間を１．９４の低実効誘電率とし，充電量の低減を実現する。
【実施例５】
【００２０】
第５の実施の形態例を図１１に示す。これは請求項１又は請求項４記載の発明に対応する実施例であり，各絶縁心線間および各絶縁心線とアース間に空隙として中空構造を設けたものである。
導体1a，2a，3aおよび4aに絶縁被覆１０を施し，ケーブル断面方向から見て，それぞれの導体を，ほぼ正方形の４つの頂点上に配置し，その上に低実効誘電率のシース９を施した動力用ケーブル。隣接する導体を同一円周上に，ほぼ９０度回転した位置に配置することで離隔距離を確保し，さらに中空絶縁体５により強度の確保，および導体1a，2a，3aおよび4a間を１．７４の低実効誘電率とし，充電量の低減を実現する。
【産業上の利用可能性】
【００２１】
本発明の動力ケーブルは、連続パルスに伴い発生する充放電電流を抑制する動力用ケーブルであって，充電電流値と充電時間の積としての充電量を低減するように，相間および対地間の特性インピーダンスを大きくするように，各導体間の絶縁体の実効誘電率を２以下の低実効誘電率となるように構成することができる。
【００２２】
更に、本発明の動力ケーブルは、前記２以下の低実効誘電率となるような構成として、各絶縁心線の絶縁被覆又はシースに２以下の低実効誘電率の絶縁体を用いることができる。
【００２３】
更に、本発明の動力ケーブルは、連続パルスに伴い発生する充放電電流を抑制する動力用ケーブルであって，各絶縁心線の絶縁被覆およびシースに発泡ポリエチレンを用いることができる。
【００２４】
本発明の動力ケーブルは、連続パルスに伴い発生する充放電電流を抑制する動力用ケーブルであって，充電電流値と充電時間の積としての充電量を低減するように，相間および対地間の特性インピーダンスを大きくするように，各絶縁心線間および各絶縁心線とアース間に空隙を設けることができる。
【００２５】
本発明の動力ケーブルは、連続パルスに伴い発生する充放電電流を抑制する動力用ケーブルであって，充電電流値を低減するように，相間および対地間の特性インピーダンスを大きくするように各絶縁心線の絶縁被覆またはシースに磁性材を使用することができる。
【００２６】
本発明の動力ケーブルは、連続パルスに伴い発生する充放電電流を抑制する動力用ケーブルであって，充電電流値を低減するように，相間および対地間の特性インピーダンスを大きくするように各絶縁心線の絶縁被覆の外周または絶縁心線を一括する絶縁材を配置することができる。
【００２７】
本発明の動力ケーブルは、連続パルスに伴い発生する充放電電流を抑制する動力用ケーブルであって，充電電流による放射ノイズまたは伝導ノイズを低減するように，リターン線が低インダクタンスとなるように対称形構造とすることができる。
【符号の説明】
【００２８】
１ａ  導体
１ｂ  絶縁体
１ｃ  コルデル
２ａ  導体
３ａ  導体
４ａ  導体
１  絶縁芯線
５  絶縁体
６  リターン線
７  介在
８  フェライトテープ
９  シース
１０  絶縁体
【手続補正２】
【補正対象書類名】特許請求の範囲
【補正対象項目名】全文
【補正方法】変更
【補正の内容】
【特許請求の範囲】
【請求項１】
連続パルスに伴い発生する充放電電流を抑制する動力用ケーブルであって、充電電流値と充電時間の積としての充電量を低減するように、相間および対地間の特性インピーダンスを大きくするように、更には、各導体間の絶縁体の実効誘電率を２以下の低実効誘電率となるように、導体に絶縁被覆を施し、ケーブル断面方向から見て、それぞれの導体を、ほぼ正方形の４つの頂点上に配置し、その上に低実効誘電率のシースを施した構成としたことを特徴とする動力用ケーブル。